(57)【要約】【課題】  上位装置によらずに自己診断を実行できる情報記録再生装置及び性能判定試験媒体を提供する。【解決手段】  既記録領域１０２と未記録領域１０３とを有する性能判定試験媒体を用い、情報記録再生装置の性能判定試験時に既記録領域１０２から性能判定試験データを読み出し、該データをバッファメモリに一時的に格納することで、情報記録再生装置内で性能判定試験データを作成することなく性能判定試験を実行する。また、性能判定試験結果は性能判定試験媒体内に記録されるため、該媒体を他の情報記録再生装置に入れ替えて性能判定試験結果の合否を判定する。【選択図】  図１
2006004482.tif 000002
【特許請求の範囲】
【請求項１】
情報記録再生装置の性能を診断する性能判定試験に関する性能判定試験データが記録されている既記録領域と未記録領域とを有する性能判定試験媒体の前記性能判定試験データを再生する再生手段を有する情報記録再生装置であって、
前記性能判定試験データと性能判定試験結果とを一時的に記憶する記憶手段と、
前記記憶手段に記憶された前記性能判定試験データと前記性能判定試験結果とを比較する比較手段と、
前記比較手段による比較結果、前記性能判定試験に関する情報、及び前記再生手段による前記性能判定試験データの前記性能判定試験結果を前記未記録領域に書き込む書込手段と、
前記比較手段によって得られた比較結果に基づいて前記情報記録再生装置の性能を判定する判定手段とを有することを特徴とする情報記録再生装置。
【請求項２】
前記比較手段は、
前記性能判定試験データに基づいて前記性能判定試験結果が有するエラーを検出する検出手段を有し、
前記検出手段によって検出されたエラー数を前記比較結果とすることを有することを特徴とする請求項１記載の情報記録再生装置。
【請求項３】
前記判定手段は、前記エラー数が判定基準より少なかったとき、前記情報記録再生装置が異常なしと判定することを特徴とする請求項２記載の情報記録再生装置。
【請求項４】
前記判定手段は、
前記エラー数が判定基準より少なかったとき、前記エラー数と前記未記録領域に記録されている他の情報記録再生装置における性能判定試験のエラー数との差を算出する第１の算出手段と、
前記第１の算出手段によって算出した差が所定値より少なかったとき、前記情報記録再生装置が異常なしと判定することを特徴とする請求項２記載の情報記録再生装置。
【請求項５】
前記判定手段は、
前記エラー数が判定基準より少なかったとき、前記エラー数と前記未記録領域に記録されている過去に実施した性能判定試験のエラー数との差を算出する第２の算出手段と、
前記第２の算出手段によって算出した差が所定値より少なかったとき、前記情報記録再生装置が異常なしと判定することを特徴とする請求項２記載の情報記録再生装置。
【請求項６】
前記性能判定試験に関する情報に前記性能判定試験データを再生した前記情報記録再生装置の識別番号が含まれることを特徴とする請求項１から５のいずれか１項記載の情報記録再生装置。
【請求項７】
前記性能判定試験に関する情報に前記既記録領域に記録されている前記性能判定試験データのアドレス及び前記性能判定試験結果のアドレスが含まれることを特徴とする請求項１から６のいずれか１項記載の情報記録再生装置。
【請求項８】
情報記録再生装置の性能を診断する性能判定試験に関する性能判定試験データが記録されている既記録領域と、
未記録領域とを有することを特徴とする性能判定試験媒体。
【請求項９】
前記未記録領域に性能判定試験結果が記録されていることを特徴とする請求項８記載の性能判定試験媒体。
【請求項１０】
前記未記録領域に前記性能判定試験に関する情報が記録されていることを特徴とする請求項８又は９記載の性能判定試験媒体。
【請求項１１】
前記性能判定試験に関する情報に前記性能判定試験データを再生した前記情報記録再生装置の識別番号が含まれることを特徴とする請求項１０記載の性能判定試験媒体。
【請求項１２】
前記性能判定試験に関する情報に前記既記録領域に記録されている前記性能判定試験データのアドレス及び前記性能判定試験結果のアドレスが含まれることを特徴とする請求項１０又は１１記載の性能判定試験媒体。
【請求項１３】
前記未記録領域に前記性能判定試験データに基づいて検出された前記性能判定試験結果が有するエラー数が前記性能判定試験データと前記性能判定試験結果の比較結果として記録されていることを特徴とする請求項８から１２のいずれか１項記載の性能判定試験媒体。
【発明の詳細な説明】
【技術分野】
【０００１】
本発明は、レーザ光を用いて光ディスク媒体等に情報を記録する情報記録再生装置及び情報記録再生媒体に関し、特に、上位装置によらずに自己診断を実行できる情報記録再生装置及び性能判定試験媒体に関する。
【背景技術】
【０００２】
近年、情報記録再生装置として光ディスクが低価格で普及している。それに伴い、光ディスクには、生産性の向上、及び顧客先における不良解析のための上位装置によらない自己診断機能が求められている。
【０００３】
特許文献１は、ハードウェア及びソフトウェアの初期化処理に際して、情報記録媒体への書き込み、読み出し動作の正否を判定することにより、迅速な自己診断を可能とし、自己診断の操作性と信頼性を向上させた情報記録装置を提案している。
【０００４】
特許文献２は、コントロールパネルを備えていない再生装置において、自己診断用媒体を用いてホストコンピュータに接続しないで単独で自己診断できる再生装置を提案している。
【特許文献１】特開平５−２８６６０号公報
【特許文献２】特開２００２−１１７６３２号公報
【発明の開示】
【発明が解決しようとする課題】
【０００５】
しかしながら、上記発明は以下の問題点を有している。
【０００６】
従来の情報記録再生装置において自己診断を実行する場合、上位装置なしで自己診断プログラムの再生を行うため自己診断プログラムを情報記録再生装置内で作成する必要がある。また、複雑な自己診断プログラムをメモリ上に生成するには時間を要する。さらに、自己診断結果を評価する際に自己診断プログラム及び自己診断結果を情報記録再生装置内に作成した場合、該自己診断結果を他の情報記録再生装置において評価することができない。
【０００７】
そこで、本発明は、自己診断プログラムをバッファメモリに一時的に格納し、該自己診断プログラムを実施することにより、情報記録再生装置内で自己診断プログラムを作成することなく自己診断を実行することができる情報記録再生装置及び性能判定試験媒体を提供することを目的としている。
【課題を解決するための手段】
【０００８】
請求項１記載の発明は、情報記録再生装置の性能を診断する性能判定試験に関する性能判定試験データが記録されている既記録領域と未記録領域とを有する性能判定試験媒体の前記性能判定試験データを再生する再生手段を有する情報記録再生装置であって、前記性能判定試験データと性能判定試験結果とを一時的に記憶する記憶手段と、前記記憶手段に記憶された前記性能判定試験データと前記性能判定試験結果とを比較する比較手段と、前記比較手段による比較結果、前記性能判定試験に関する情報、及び前記再生手段による前記性能判定試験データの前記性能判定試験結果を前記未記録領域に書き込む書込手段と、前記比較手段によって得られた比較結果に基づいて前記情報記録再生装置の性能を判定する判定手段とを有することを特徴とする。
【０００９】
請求項２記載の発明は、請求項１記載の情報記録再生装置において、前記比較手段は、前記性能判定試験データに基づいて前記性能判定試験結果が有するエラーを検出する検出手段を有し、前記検出手段によって検出されたエラー数を前記比較結果とすることを有することを特徴とする。
【００１０】
請求項３記載の発明は、請求項２記載の情報記録再生装置において、前記判定手段は、前記エラー数が判定基準より少なかったとき、前記情報記録再生装置が異常なしと判定することを特徴とする。
【００１１】
請求項４記載の発明は、請求項２記載の情報記録再生装置において、前記判定手段は、前記エラー数が判定基準より少なかったとき、前記エラー数と前記未記録領域に記録されている他の情報記録再生装置における性能判定試験のエラー数との差を算出する第１の算出手段と、前記第１の算出手段によって算出した差が所定値より少なかったとき、前記情報記録再生装置が異常なしと判定することを特徴とする。
【００１２】
請求項５記載の発明は、請求項２記載の情報記録再生装置において、前記判定手段は、前記エラー数が判定基準より少なかったとき、前記エラー数と前記未記録領域に記録されている過去に実施した性能判定試験のエラー数との差を算出する第２の算出手段と、前記第２の算出手段によって算出した差が所定値より少なかったとき、前記情報記録再生装置が異常なしと判定することを特徴とする。
【００１３】
請求項６記載の発明は、請求項１から５のいずれか１項記載の情報記録再生装置において、前記性能判定試験に関する情報に前記性能判定試験データを再生した前記情報記録再生装置の識別番号が含まれることを特徴とする。
【００１４】
請求項７記載の発明は、請求項１から６のいずれか１項記載の情報記録再生装置において、前記性能判定試験に関する情報に前記既記録領域に記録されている前記性能判定試験データのアドレス及び前記性能判定試験結果のアドレスが含まれることを特徴とする。
【００１５】
請求項８記載の性能判定試験媒体は、情報記録再生装置の性能を診断する性能判定試験に関する性能判定試験データが記録されている既記録領域と、未記録領域とを有することを特徴とする。
【００１６】
請求項９記載の発明は、請求項８記載の性能判定試験媒体において、前記未記録領域に性能判定試験結果が記録されていることを特徴とする。
【００１７】
請求項１０記載の発明は、請求項８又は９記載の性能判定試験媒体において、前記未記録領域に前記性能判定試験に関する情報が記録されていることを特徴とする。
【００１８】
請求項１１記載の発明は、請求項１０記載の性能判定試験媒体において、前記性能判定試験に関する情報に前記性能判定試験データを再生した前記情報記録再生装置の識別番号が含まれることを特徴とする。
【００１９】
請求項１２記載の発明は、請求項１０又は１１記載の性能判定試験媒体において、前記性能判定試験に関する情報に前記既記録領域に記録されている前記性能判定試験データのアドレス及び前記性能判定試験結果のアドレスが含まれることを特徴とする。
【００２０】
請求項１３記載の発明は、請求項８から１２のいずれか１項記載の性能判定試験媒体において、前記未記録領域に前記性能判定試験データに基づいて検出された前記性能判定試験結果が有するエラー数が前記性能判定試験データと前記性能判定試験結果の比較結果として記録されていることを特徴とする。
【発明の効果】
【００２１】
本発明は、既記録領域と未記録領域とを有する性能判定試験媒体を用い、情報記録再生装置の性能判定試験時に既記録領域から性能判定試験データを読み出し、該データをバッファメモリに一時的に格納することで、情報記録再生装置内で性能判定試験データを作成することなく性能判定試験を実行することができる。また、性能判定試験結果は性能判定試験媒体内に記録されるため、該媒体を他の情報記録再生装置に入れ替えて性能判定試験結果の合否を判定することができる。さらに、過去の性能判定試験結果と比較することができ、情報記録再生装置の性能を相対的に評価できる。
【発明を実施するための最良の形態】
【００２２】
本発明は、既記録領域と未記録領域とを有する性能判定試験媒体を用い、情報記録再生装置の性能判定試験時に既記録領域から性能判定試験データを読み出し、該データをバッファメモリに一時的に格納することで、情報記録再生装置内で性能判定試験データを作成することなく性能判定試験を実行する。また、性能判定試験結果は性能判定試験媒体に記録する。
【実施例】
【００２３】
図１に示す本発明を適用した性能判定試験媒体は、リードインエリア１０１、既記録領域１０２、未記録領域１０３を有している。リードインエリア１０１には、性能判定試験媒体の管理情報などが記録されている。既記録領域１０２には、性能判定試験に用いる性能判定試験データが記録されている。未記録領域１０３には、性能判定試験の管理情報、性能判定試験の結果などが記録される。
【００２４】
図２は、図１に示した性能判定試験媒体の使用例である。リードインエリア２０１には、性能判定試験媒体の識別情報が記録されている。情報記録再生装置は該識別情報を認識して性能判定試験データをロードし、性能判定試験を実行する。既記録領域２０２には、性能判定試験データが記録されている。
【００２５】
図３に既記録領域２０２に記録された性能判定試験データの格納例を示す。既記録領域２０２は、アドレス３００００ｈから４００００ｈの間で１００ｈずつ区切られている。
【００２６】
図２に示した管理情報領域２０３には、性能判定試験の管理情報、性能判定試験結果などが記録されている。図４に管理情報領域２０３に記録された性能判定試験結果の格納例を示す。なお、管理情報領域２０３は、アドレス４００００ｈから５００００ｈの間で１００ｈずつのデータ領域に区切られている。そして、性能判定試験を実行するごとに各データ領域に性能判定試験の管理情報、性能判定試験結果が記録される。
【００２７】
性能判定試験結果が管理情報エリア２０３の各データ領域に記録された例を図５に示す。１００ｈの各データ領域は、性能判定試験データのバッファメモリへの記録に関する情報の記録領域と性能判定試験結果の記録する再生領域に区切られており、一度の記録・再生動作に対して１００ｈの情報が記録される。なお、性能判定試験データの記録のみを行った場合は、性能判定試験データを記録した時の情報のみが記録される。再生動作のみを行った場合は、性能判定試験結果が記録される。記録領域には、ドライブ番号５０１、Ｆ／Ｗレビジョン５０２、記録元データ開始アドレス５０３、記録元データ終了アドレス５０４、記録データ先開始アドレス５０５、記録データ先終了アドレス５０６、シークエラー数５０７、サーボ外れエラー数５０８、記録中断アドレス５０９、記録所要時間５１０、Ｒｅｓｅｒｖｅｄ５１１が記録されている。
【００２８】
ドライブ番号５０１は、性能判定試験を実施した情報記録再生装置固有の番号である。Ｆ／Ｗレビジョン５０２は、該情報記録再生装置に記憶されているファームウェアの改定番号である。記録元データ開始アドレス５０３及び記録元データ終了アドレス５０４は、既記録エリア２０２に記録されている性能判定試験データのアドレスである。記録データ先開始アドレス５０５及び記録データ先終了アドレス５０６は、性能判定試験において用いた領域のアドレスである。シークエラー数５０７及びサーボ外れエラー数５０８は、記録動作時に発生したシークエラー及びサーボ外れエラーが発生した回数である。記録中断アドレス５０９は、エラー等により記録動作を完了できなかった場合に記録が中断したアドレスである。記録所要時間５１０は、記録動作に要した時間である。Ｒｅｓｅｒｖｅｄ５１１は、未使用領域である。
【００２９】
一方、再生領域には、ドライブ番号５１２、Ｆ／Ｗレビジョン５１３、リードエラー数５１４、シークエラー数５１５、サーボ外れエラー数５１６、リードリトライ数５１７、ＰＩエラー数５１８、コンペアエラー数５１９、再生所要時間５２０、Ｒｅｓｅｒｖｅｄ５３０が記録されている。
【００３０】
ドライブ番号５１２は、性能判定試験を実施した情報記録再生装置固有の番号である。Ｆ／Ｗレビジョン５１３は、該情報記録再生装置に記憶されているファームウェアの改定番号である。リードエラー数５１４、シークエラー数５１５、サーボ外れエラー数５１６は、記録データ先開始アドレス５０５及び記録データ先終了アドレス５０６を再生した際のリードエラー、シークエラー、サーボ外れエラーの回数である。リードリトライ数５１７は、記録データ先開始アドレス５０５及び記録データ先終了アドレス５０６の読み込みを行った回数である。ＰＩエラー数５１８は、記録データ先開始アドレス５０５及び記録データ先終了アドレス５０６を再生したときのＰＩエラーが発生した回数又はセクタ当たりのＰＩエラーの平均値である。コンペアエラー回数５１９は、既記録データ先開始アドレス５０５及び既記録データ先終了アドレス５０６の性判定試験と性能判定試験結果とを比較した際のエラー数である。再生所要時間５２０は、再生動作に要した時間である。Ｒｅｓｅｒｖｅｄ５３０は、未使用領域である。
【００３１】
図６は、本発明を適用した情報記録再生装置の構成図である。情報記録再生装置は、本発明を適用した性能判定試験媒体６０１、ピックアップユニット６０２、アナログフロントエンド６０３、デジタルＬＳＩ６０４、バッファメモリ６０５、外部Ｉ／Ｆ６０６、ＭＰＵ６０７、性能判定試験処理部６０８から構成される。ピックアップユニット６０２は、光学レンズ、半導体レーザ、フォトダイオードなどから構成される。アナログフロントエンド６０３は、アナログ信号を処理する。デジタルＬＳＩ６０４は、デジタル信号を処理する。バッファメモリ６０５は、データを一時的に記憶する。外部Ｉ／Ｆ６０６は、上位装置との通信を行う。なお、本発明を適用した情報記録再生装置は、上位装置との通信を行わずに性能判定試験を実施するため外部Ｉ／Ｆ６０６は利用しない。性能判定試験処理部６０８は、ソフトウェア処理でもハードウェア処理のどちらでも良いが、本実施例ではソフトウェア処理である。
【００３２】
図７は、性能判定試験を実施するときに既記録エリア２０２に記録されている性能判定試験データを一時的に記憶するバッファメモリ６０５の構成例を示している。バッファメモリ６０５は、３１のブロックに区切られている。ブロック０からブロック１５は、既記録エリア２０２に記録されている性能判定試験データを記録する既記録再生データ格納バッファブロックとする。一方、ブロック１６からブロック３１は、性能判定試験結果を記録する記録再生データ格納バッファブロックとする。具体的には、情報記録装置は性能判定試験開始時に性能判定試験媒体に格納されている性能判定試験データをブロック１から１５に格納する。次に、性能判定試験後にその結果をブロック１６から３１に記録する。そして、ブロック１から１５に記憶されているデータとブロック１６から３１に記録されているデータとを比較するデータコンペアが実施される。なお、本実施例では、既記録再生データ格納バッファブロックの数が１６であるため性能判定試験後のデータコンペアを１６ブロックずつ実行している。なお、１６ブロックの既記録再生データを繰り返し用いる場合は、全ての記録が終了したのちに再生、データコンペアを行ってもよい。
【００３３】
図８に情報記録再生装置における性能判定試験のフローチャートを示す。まず、性能判定試験媒体の既記録領域２０２に記録されている性能判定試験データを読み出す（ステップＳ８０１）。読み出された性能判定試験データは、バッファメモリ６０５に一時的に記憶される（ステップＳ８０２）。次に、バッファメモリ６０５に記憶された性能判定試験データが再生され、性能判定試験結果がバッファメモリ６０５及び管理情報領域２０３にテスト情報として記録される（ステップＳ８０３）。バッファメモリ６０５及び管理情報領域２０３へテスト情報が記録されると、バッファメモリ６０５に記憶されている該テスト情報と性能判定試験データとが比較される（ステップＳ８０４）。該テスト情報と性能判定試験データとの比較結果は、管理情報エリア２０３に記録され（ステップＳ８０５）、該比較結果に基づいて性能判定試験の合否を判定する（ステップＳ８０６）。
【００３４】
図９に性能判定試験結果が性能判定試験媒体に記録された後、性能判定試験媒体を情報記録再生装置から排出し、別の情報記録再生装置で性能判定試験の合否を判定した場合の処理のフローチャートを示す。まず、性能判定試験媒体の既記録領域２０２に記録されている性能判定試験データが読み出され（ステップＳ９０１）、該データはバッファメモリ６０５に記録される（ステップＳ９０２）。バッファメモリ６０５に記録された該データは、情報記録再生装置内で再生される。そして、その性能判定試験結果はテスト情報としてバッファメモリ６０５及び管理情報領域２０３に記録される（ステップＳ９０３）。ここで、ユーザは、該性能判定試験媒体を情報記録再生装置から取り出し（ステップＳ９０４）、他の情報記録再生装置において該性能判定試験媒体を再生する（ステップＳ９０５）。性能判定試験媒体が挿入された情報記録再生装置は、管理情報領域２０３に記録されたテスト情報と既記録領域２０２に記録されている性能判定試験データとを読み出し、テスト情報と性能判定試験データとをバッファメモリ６０５に記憶する。そして、テスト情報と性能判定試験データとを比較する(ステップＳ９０７)。比較結果は管理情報領域２０３へ記録される（ステップＳ９０８）。情報記録再生装置は、該比較結果に基づいて性能判定試験の合否を判定する（ステップＳ９０９）。
【００３５】
２つの情報記録再生装置を用い、性能判定試験中に性能判定試験媒体を一方の情報記録再生装置に移した場合の処理のフローチャートを図１０に示す。まず、性能判定試験媒体の既記録領域２０２に記録されている性能判定試験データが第１の装置及び第２の装置の各装置において読み出され（ステップＳ１００１、ステップＳ１０１０）、各装置のバッファメモリ６０５に記録される（ステップＳ１００２、ステップＳ１０１１）。各装置のバッファメモリ６０５に記録された性能判定試験データは、各装置で再生される。そして、各装置における性能判定試験結果はテスト情報として各装置のバッファメモリ６０５及び管理情報領域２０３に記録される（ステップＳ１００３、ステップＳ１０１２）。ここで、ユーザは、各装置に挿入されている性能判定試験媒体を入れ替える（ステップＳ１００４、ステップＳ１００５、ステップＳ１０１３、ステップＳ１０１４）。そして、各装置は性能判定試験媒体の管理情報領域２０３に記録されているテスト情報と既記録領域２０２の性能判定試験データを読み出し（ステップＳ１００６、ステップＳ１０１５）、テスト情報及び性能判定試験データを各装置のバッファメモリ６０５に記憶する。次に、該テスト情報と性能判定試験データとを比較する（ステップＳ１００７、ステップＳ１０１６）。比較結果は、各装置に挿入された性能判定試験媒体の管理情報領域２０３へ記録される（ステップＳ１００８、ステップＳ１０１７）。各装置は、該比較結果に基づいて性能判定試験の合否を判定する（ステップＳ１００９、ステップＳ１０１８）。
【００３６】
つまり、図９及び図１０に示す処理によれば、性能判定試験結果の合否を他の情報記録再生装置において評価することができる。また、性能判定試験媒体に性能判定試験結果が記憶されるため、他の情報記録再生装置における性能判定試験結果や過去の性能判定試験結果を利用して情報記録再生装置の不良や性能の劣化を検出することができる。
【００３７】
次に、図８のステップＳ８０６における比較結果を用いた性能判定試験の合否を判定する処理について図１１を用いて説明する。まず、管理情報領域２０３に記録された比較結果が読み出される（ステップＳ１１０１）。ここで、比較結果の読み出し動作においてエラーが発生した場合（ステップＳ１１０１／ＮＯ）、性能判定試験において異常が発見されたものとして合否判定処理は終了する。一方、比較結果が読み出されると（ステップＳ１１０１／ＹＥＳ）、ＰＩエラー数の判定基準に用いて、合否を判定する（ステップＳ１１０２）。ＰＩエラー数が判定基準より少ないときは正常に終了する（ステップＳ１１０２／ＹＥＳ）。なお、ＰＩエラー数が判定基準を越えた場合は（ステップＳ１１０２／ＮＯ）、性能判定試験において異常が発見されたものとして合否判定処理は終了する。
【００３８】
図１２は、性能判定試験を実施した情報記録再生装置でない他の情報記録再生装置を用いて合否判定処理を実施した場合のフローチャートである。まず、管理情報領域２０３に記録された比較結果が読み出される（ステップＳ１２０１）。ここで、比較結果の読み出し動作においてエラーが発生した場合（ステップＳ１２０１／ＮＯ）、性能判定試験において異常が発見されたものとして合否判定処理は終了する。一方、比較結果が読み出されると（ステップＳ１２０１／ＹＥＳ）、ＰＩエラー数の判定基準に用いて、合否の判定が実施される（ステップＳ１２０２）。ＰＩエラー数が判定基準より少ないときは（ステップＳ１２０２／ＹＥＳ）、ＰＩエラー数と性能判定試験媒体に記録されている他の情報記録再生装置において実施された性能判定試験のＰＩエラー数との差を算出し、その差から性能判定試験結果の合否を判定する。なお、ＰＩエラー数が判定基準を越えた場合は（ステップＳ１２０２／ＮＯ）、性能判定試験において異常が発見されたものとして合否判定処理は終了する。算出した差が所定値以下であった場合は（ステップＳ１２０３／ＹＥＳ）、性能判定試験において異常が発見されなかったものとして合否判定処理は終了する。一方、算出した差が所定値よりも大きかった場合は（ステップＳ１２０３／ＮＯ）、性能判定試験において異常が発見されたものとして合否判定処理は終了する。
【００３９】
図１３は、過去に実施した性能判定試験結果を用いて合否判定処理を実施した場合のフローチャートである。まず、管理情報領域２０３に記録された比較結果が読み出される（ステップＳ１３０１）。ここで、比較結果の読み出し動作においてエラーが発生した場合（ステップＳ１３０１／ＮＯ）、性能判定試験において異常が発見されたものとして合否判定処理は終了する。一方、比較結果が読み出されると（ステップＳ１３０１／ＹＥＳ）、ＰＩエラー数の判定基準に用いて、合否の判定が実施される（ステップＳ１３０２）。ＰＩエラー数が判定基準よりもエラー数が少ないときは（ステップＳ１３０２／ＹＥＳ）、該ＰＩエラー数と過去に性能判定試験を行ったときの比較結果のＰＩエラー数との差を算出し、その差から性能判定試験結果の合否を判定する。なお、ＰＩエラー数が判定基準を越えた場合は（ステップＳ１３０２／ＮＯ）、性能判定試験において異常が発見されたものとして合否判定処理は終了する。算出した差が所定値以下であった場合は（ステップＳ１３０３／ＹＥＳ）、性能判定試験において異常が発見されなかったものとして合否判定処理は終了する。一方、算出した差が所定値よりも大きかった場合は（ステップＳ１３０３／ＮＯ）、性能判定試験において異常が発見されたものとして合否判定処理は終了する。
【図面の簡単な説明】
【００４０】
【図１】本発明を適用した性能判定試験媒体の構成を示す図である。
【図２】本発明を適用した性能判定試験媒体の使用例を示す図である。
【図３】性能判定試験プログラムの格納例を示す図である。
【図４】性能判定試験結果の格納例を示す図である。
【図５】性能判定試験結果の格納例を示す図である。
【図６】本発明を適用した情報記録再生装置の構成を示す図である。
【図７】本発明を適用した情報記録再生装置が有するバッファメモリの構成を示す図である。
【図８】性能判定試験の実施例を示すフローチャートである。
【図９】性能判定試験の実施例を示すフローチャートである。
【図１０】性能判定試験の実施例を示すフローチャートである。
【図１１】性能判定試験結果の合否判定処理のフローチャートである。
【図１２】性能判定試験結果の合否判定処理のフローチャートである。
【図１３】自己診断処理結果の合否判定処理のフローチャートである。
【符号の説明】
【００４１】
１０１、２０１    リードインエリア
１０２、２０２    既記録領域
１０３    未記録領域
２０３    管理情報領域
２０４    既記録領域１
２０５    既記録領域２
２０６    既記録領域３
６０１    性能判定試験媒体
６０２    ピックアップユニット
６０３    アナログフロントエンド
６０４    デジタルＬＳＩ
６０５    バッファメモリ
６０６    外部Ｉ／Ｆ
６０７    ＭＰＵ
６０８    性能判定試験処理部
【図１】
2006004482.tif 000003
【図２】
2006004482.tif 000004
【図３】
2006004482.tif 000005
【図４】
2006004482.tif 000006
【図５】
2006004482.tif 000007
【図６】
2006004482.tif 000008
【図７】
2006004482.tif 000009
【図８】
2006004482.tif 000010
【図９】
2006004482.tif 000011
【図１０】
2006004482.tif 000012
【図１１】
2006004482.tif 000013
【図１２】
2006004482.tif 000014
【図１３】
2006004482.tif 000015